(57)【要約】【課題】被保持体をより所望の位置に調整することができる自立式スタンドを提供する。【解決手段】自立式スタンド１は、棒状の連結部材２と、板状の被保持体を着脱可能に保持し且つ連結部材２の一端部２１に連結される一端側保持部材と、連結部材２の他端部２２に連結され且つ連結部材２と一端側保持部材とを自立可能に支持する基台５と、を備え、連結部材２の一端部２１と一端側保持部材とは、一端側ボールジョイント４１ａを介して連結され、一端側保持部材は、一端側ボールジョイント４１ａを中心に三次元方向に回転可能である。【選択図】図１
0003232606.tif 000002
【実用新案登録請求の範囲】
【請求項１】
棒状の連結部材と、
板状の被保持体を着脱可能に保持し且つ前記連結部材の一端部に連結される一端側保持部材と、
前記連結部材の他端部に連結され且つ前記連結部材と前記一端側保持部材とを自立可能に支持する基台と、
を備え、
前記連結部材の一端部と前記一端側保持部材とは、一端側ボールジョイントを介して連結され、
前記一端側保持部材は、前記一端側ボールジョイントを中心に三次元方向に回転可能である、
自立式スタンド。
【請求項２】
前記連結部材の他端部と前記基台とは、他端側ボールジョイントを介して連結され、
前記連結部材は、前記他端側ボールジョイントを中心に三次元方向に回転可能である、請求項１に記載の自立式スタンド。
【請求項３】
前記基台と前記他端側ボールジョイントとの間に、前記基台を着脱可能に保持する他端側保持部材を備え、
前記他端側保持部材は、前記被保持体を着脱自在に保持可能であり、
前記一端側保持部材は、前記基台を着脱自在に保持可能である、請求項２に記載の自立式スタンド。
【請求項４】
前記基台は、複数の板材を組み立てて構成され、
前記他端側保持部材は、前記複数の板材の少なくとも１つを保持し、
前記基台は、前記連結部材と前記一端側保持部材とを自立可能に支持する、請求項３に記載の自立式スタンド。
【請求項５】
前記基台は、前記被保持体とは異なる板状の固定部材を着脱可能に保持する他端側保持部材を有する、請求項２に記載の自立式スタンド。
【請求項６】
前記他端側保持部材は、前記被保持体を着脱自在に保持可能であり、
前記一端側保持部材は、前記固定部材を着脱自在に保持可能である、請求項５に記載の自立式スタンド。
【請求項７】
前記連結部材は、長手方向に対して交差する方向に塑性変形可能な部材で構成されている、請求項１〜６のいずれか１つに記載の自立式スタンド。
【請求項８】
前記基台には、前記基台側の重量を増加させて自立式スタンドの転倒を防止するように携帯端末機の一側部を挿入可能な凹部が設けられている、請求項１〜７のいずれか１つに記載の自立式スタンド。
【考案の詳細な説明】
【技術分野】
【０００１】
本考案は、自立式スタンドに関する。
【背景技術】
【０００２】
従来、この種のスタンドとして、例えば、特許文献１に記載のスタンドが知られている。特許文献１には、被保持体の一例である携帯端末機を取り付け可能な面を有する固定部と、固定部において当該面に対向する面に設けられる回転部と、長さ方向に伸縮可能である伸縮部とを備えているスタンドが記載されている。回転部は、携帯端末機を取り付け可能な面に対して直交する軸周りに固定部を回転させることにより、携帯端末機の位置を当該軸周りの平面内で調整させることができる。
【０００３】
回転部は、伸縮部の長さ方向の一端部と固定部との間に配置され且つ一端側ヒンジ軸を介して伸縮部に接続されている。そのため、回転部は、固定部と一体的に一端側ヒンジ軸の周りに回動可能である。また、当該スタンドは、伸縮部の長さ方向の他端部に、一端側ヒンジ軸に対して平行に配置される他端側ヒンジ軸を介して接続され且つ他端側ヒンジ軸の周りに回転可能な基台を備えている。すなわち、前記スタンドは、他端側ヒンジ軸の周りに伸縮部を回動させ且つ一端側ヒンジ軸の周りに回転部及び固定部を回動させることで、携帯端末機の位置を前記スタンドの操作者に対する奥行き方向において調整させることができる。更に、伸縮部は、長さ方向に伸縮することで、携帯端末機の位置を前記スタンドの高さ方向において調整させることができる。
【先行技術文献】
【特許文献】
【０００４】
【特許文献１】特開２０２０−８８８３５号公報
【考案の概要】
【考案が解決しようとする課題】
【０００５】
しかしながら、特許文献１のスタンドに係る構成では、被保持体をより所望の位置に調整するという観点において、未だ改善の余地がある。
【０００６】
従って、本考案の目的は、前記課題を解決することにあって、被保持体をより所望の位置に調整することができる自立式スタンドを提供することにある。
【課題を解決するための手段】
【０００７】
前記目的を達成するために、本考案の一態様に係る自立式スタンドは、
棒状の連結部材と、
板状の被保持体を着脱可能に保持し且つ前記連結部材の一端部に連結される一端側保持部材と、
前記連結部材の他端部に連結され且つ前記連結部材と前記一端側保持部材とを自立可能に支持する基台と、
を備え、
前記連結部材の一端部と前記一端側保持部材とは、一端側ボールジョイントを介して連結され、
前記一端側保持部材は、前記一端側ボールジョイントを中心に三次元方向に回転可能である。
【考案の効果】
【０００８】
本考案の前記態様によれば、被保持体をより所望の位置に調整することができる。
【図面の簡単な説明】
【０００９】
【図１】本考案の実施形態に係る自立式スタンドの使用例を示す斜視図である。
【図２】連結部材と一端側クリップ及び他端側クリップとが連結されている様子を示す斜視図である。
【図３】ボールジョイント付近を拡大した部分断面図である。
【図４】基台の分解斜視図である。
【図５】図１に示す自立式スタンドの別の使用例を示す斜視図である。
【図６】図１に示す自立式スタンドの更に別の使用例を示す斜視図である。
【図７】本考案の実施形態の変形例に係る自立式スタンドの使用例を示す斜視図である。
【考案を実施するための形態】
【００１０】
本考案の一態様に係る自立式スタンドは、
棒状の連結部材と、
板状の被保持体を着脱可能に保持し且つ前記連結部材の一端部に連結される一端側保持部材と、
前記連結部材の他端部に連結され且つ前記連結部材と前記一端側保持部材とを自立可能に支持する基台と、
を備え、
前記連結部材の一端部と前記一端側保持部材とは、一端側ボールジョイントを介して連結され、
前記一端側保持部材は、前記一端側ボールジョイントを中心に三次元方向に回転可能である、
ように構成されている。
【００１１】
この構成によれば、自立式スタンドの操作者は、一端側保持部材に保持される被保持体を、一端側ボールジョイントを中心に三次元方向に回転し得る。従って、自立式スタンドの操作者は、被保持体をより所望の位置に調整することができる。
【００１２】
なお、前記連結部材の他端部と前記基台とは、他端側ボールジョイントを介して連結され、
前記連結部材は、前記他端側ボールジョイントを中心に三次元方向に回転可能であってもよい。
【００１３】
この構成によれば、連結部材の他端部と基台とがヒンジ軸を介して連結されている場合と比較して、連結部材に連結されている一端側保持部材の位置の調整可能な範囲が広がる。従って、被保持体をより所望の位置に調整しやすくなる。
【００１４】
また、自立式スタンドは、前記基台と前記他端側ボールジョイントとの間に、前記基台を着脱可能に保持する他端側保持部材を備え、
前記他端側保持部材は、前記被保持体を着脱自在に保持可能であり、
前記一端側保持部材は、前記基台を着脱自在に保持可能であってもよい。
【００１５】
この構成によれば、一端側保持部材は、被保持体及び基台の一方を保持可能であり且つ他端側保持部材は、被保持体及び基台の他方を保持可能である。すなわち、一端側保持部材が基台を保持し且つ他端側保持部材が被保持体を保持するように保持部材を反転させても、自立式スタンドを使用することができる。これにより、自立式スタンドの操作者は、一端側保持部材及び他端側保持部材の違いを意識せずに使用できる。従って、自立式スタンドの使い勝手がより向上する。
【００１６】
また、前記基台は、複数の板材を組み立てて構成され、
前記他端側保持部材は、前記複数の板材の少なくとも１つを保持し、
前記基台は、前記連結部材と前記一端側保持部材とを自立可能に支持してもよい。
【００１７】
この構成によれば、複数の板材を組み立てて構成される基台は、分解可能である。これにより、自立式スタンドを持ち運ぶとき、基台を分解して自立式スタンドの使用時よりもコンパクトな状態にできる。従って、自立式スタンドの持ち運びがより容易になる。
【００１８】
また、前記基台は、前記被保持体とは異なる板状の固定部材を着脱可能に保持する他端側保持部材を有してもよい。
【００１９】
この構成によれば、例えば、テーブルの縁部などに自立式スタンドを取り付けることができる。従って、自立式スタンドの使用可能な範囲がより広がる。
【００２０】
また、前記基台は、前記他端側保持部材は、前記被保持体を着脱自在に保持可能であり、
前記一端側保持部材は、前記固定部材を着脱自在に保持可能であってもよい。
【００２１】
この構成によれば、自立式スタンドのより広い使用可能な範囲において、一端側保持部材は、被保持体及び基台の一方を保持可能であり且つ他端側保持部材は、被保持体及び基台の他方を保持可能である。すなわち、一端側保持部材が基台を保持し且つ他端側保持部材が被保持体を保持するように保持部材を反転させても、自立式スタンドを使用することができる。これにより、自立式スタンドの操作者は、一端側保持部材及び他端側保持部材の違いを意識せずに使用できる。従って、自立式スタンドの使い勝手がより向上する。
【００２２】
また、前記連結部材は、長手方向に対して交差する方向に塑性変形可能な部材で構成されていてもよい。
【００２３】
この構成によれば、連結部材に連結されている一端側保持部材の位置の調整可能な範囲がより広がる。従って、更に広い範囲で被保持体をより所望の位置に調整しやすくなる。
【００２４】
また、前記基台には、前記基台側の重量を増加させて自立式スタンドの転倒を防止するように携帯端末機の一側部を挿入可能な凹部が設けられていてもよい。
【００２５】
この構成によれば、自立式スタンドの重心を基台側に近付けることができる。従って、自立式スタンドをより安定させて使用できる。
【００２６】
以下、本考案の実施形態について、図面を参照しながら説明する。なお、本考案は、以下の実施形態に限定されるものではない。また、実質的に同一の部材については、図面において同一の符号を付し、説明を省略する。
【００２７】
また、以下では、説明の便宜上、通常使用時の状態を想定して「上」、「下」、「前」、「後」等の方向を示す用語を用いている。しかしながら、これらの用語は、本考案の自立式スタンドの使用状態等を限定することを意味するものではない。
【００２８】
（実施形態）
図面を参照しながら、本考案に係る自立式スタンドの実施形態を説明する。図１は、本考案の実施形態に係る自立式スタンド１の使用例を示す斜視図である。本実施形態においては、図１の紙面の、上側を「上方」といい、下側を「下方」といい、左下側を「前方」といい、右上側を「後方」という。
【００２９】
本実施形態に係る自立式スタンド１は、使用者（操作者）の口元の近くで扇子などの板状の被保持体を保持することにより、咳やくしゃみなどによる飛沫の飛散を抑えるためのものである。
【００３０】
図１に示すように、本実施形態に係る自立式スタンド１は、棒状の連結部材２と、扇子６を保持し且つ連結部材２の一端部２１に連結されている一端側クリップ４１とを備えている。扇子６は、板状の被保持体の一例である。一端側クリップ４１は、一端側保持部材の一例である。また、本実施形態に係る自立式スタンド１は、連結部材２の他端部２２に連結され且つ連結部材２と一端側クリップ４１とを自立可能に支持する基台５と、基台５を着脱可能に保持し且つ連結部材２の他端部２２に連結されている他端側クリップ４２とを備えている。他端側クリップ４２は、他端側保持部材の一例である。本実施形態において、基台５は、一例として、後述する略矩形の複数の板材５１，５２，５３を組み立てて構成されている。他端側クリップ４２は、基台５の板材５２を保持している。本実施形態において、一端側クリップ４１及び他端側クリップ４２は、同一の形状を有する。
【００３１】
本実施形態に係る自立式スタンド１の各部材の構成をより詳しく説明する。図２は、連結部材２と一端側クリップ４１及び他端側クリップ４２とが連結されている様子を示す斜視図である。
【００３２】
連結部材２は、長手方向に対して交差する方向に塑性変形可能な部材で構成されている。本実施形態において、連結部材２の長手方向の一端部２１には、一端側クリップ４１を接続可能な一端側コネクタ３１が取り付けられている。連結部材２の長手方向の他端部２２には、他端側クリップ４２を接続可能な他端側コネクタ３２が取り付けられている。本実施形態において、一端側コネクタ３１及び他端側コネクタ３２は、段付の筒部材である。本実施形態において、一端側コネクタ３１及び他端側コネクタ３２は、同一の形状を有する。連結部材２の長手方向の一端部２１及び他端部２２は、それぞれ対応する一端側コネクタ３１及び他端側コネクタ３２に挿入されている。
【００３３】
図３は、ボールジョイント付近を拡大した部分断面図である。本実施形態において、一端側クリップ４１の基端部には、一端側ボールジョイント４１ａが取り付けられている。他端側クリップ４２の基端部には、他端側ボールジョイント４２ａが取り付けられている。
【００３４】
一端側ボールジョイント４１ａは、一端側コネクタ３１の内部に三次元的に回転自在に収容されている。一端側コネクタ３１は、一端側ボールジョイント４１ａの内面を摺動するように構成されている。すなわち、連結部材２の一端部２１と一端側クリップ４１とは、一端側ボールジョイント４１ａを介して連結されている。そのため、一端側クリップ４１は、一端側ボールジョイント４１ａを中心に三次元方向に回転可能である。一端側ボールジョイント４１ａの球面と一端側コネクタ３１の内面との間の摩擦により、一端側クリップ４１は、一端側ボールジョイント４１ａの回転後の位置を維持することができる。
【００３５】
他端側ボールジョイント４２ａは、他端側コネクタ３２の内部に三次元的に回転自在に収容されている。他端側コネクタ３２は、他端側ボールジョイント４２ａの内面を摺動するように構成されている。すなわち、連結部材２の他端部２２と他端側クリップ４２とは、他端側ボールジョイント４２ａを介して連結されている。そのため、連結部材２は、他端側ボールジョイント４２ａを中心に三次元方向に回転可能である。他端側ボールジョイント４２ａの球面と他端側コネクタ３２の内面との間の摩擦により、連結部材２は、他端側ボールジョイント４２ａの回転後の位置を維持することができる。
【００３６】
図４は、基台５の分解斜視図である。基台５は、複数の板材５１，５２，５３を有する。本実施形態において、複数の板材５１，５２，５３は、幅方向の長さ及び厚さ方向の長さが同一であり且つ長手方向の長さがそれぞれ異なっている。板材５１，５２は、それぞれ長さ方向の長さが幅方向の長さよりも長い。板材５３は、長さ方向の長さが、幅方向の長さよりも短い。
【００３７】
板材５１は、幅方向の一端面から幅方向の中央まで設けられている溝部５１ａと、溝部５１ａに対して平行に設けられ且つ幅方向の他端面から幅方向の中央まで設けられている溝部５１ｂとを有する。板材５２は、幅方向の一端面から幅方向の中央まで設けられている溝部５２ａを有する。板材５３は、幅方向の一端面から幅方向の中央まで設けられている溝部５３ｂを有する。
【００３８】
本実施形態において、板材５１の溝部５１ａ及び板材５２の溝部５２ａを嵌め合わせ且つ板材５１の溝部５１ｂ及び板材５３の溝部５３ｂを嵌め合わせることで、基台５が組み立てられる。
【００３９】
本実施形態において、基台５を組み立てたとき、板材５２及び板材５３は、互いに平行であり且つ板材５１から突出するように配置されている。すなわち、板材５２及び板材５３の板材５１からの突出部分と、板材５１とは、図１などに示すように、凹部５４を構成する。凹部５４は、図示しない携帯端末機の一側部を挿入可能に設けられている。凹部５４は、携帯端末機の一側部を挿入されることで、基台５側の重量を増加させて自立式スタンド１の転倒を防止するように機能する。本実施形態において、携帯端末機とは、例えば、スマートフォンやタブレット端末などの薄型の携帯端末機である。
【００４０】
このように構成される本実施形態に係る自立式スタンド１について、図５及び図６を参照しながら、自立式スタンド１の使用例について説明する。
【００４１】
図５は、図１に示す自立式スタンドの別の使用例を示す斜視図である。図５に示す自立式スタンド１は、他端側ボールジョイント４２ａを回転させることで連結部材２を後方に傾斜させ且つ一端側ボールジョイント４１ａを回転させることで一端側クリップ４１を前方に起立させている状態である。すなわち、図５に示す自立式スタンド１は、図１に示す状態から、扇子６を後方且つ下方に移動させるように、一端側ボールジョイント４１ａ及び他端側ボールジョイント４２ａを回転させた状態である。
【００４２】
図６は、図１に示す自立式スタンドの更に別の使用例を示す斜視図である。図６に示す自立式スタンド１は、連結部材２を長手方向に対して交差する方向に塑性変形させている状態である。すなわち、図６に示す自立式スタンド１は、図１に示す状態から、扇子６を下方に移動させるように、連結部材２を塑性変形させた状態である。
【００４３】
（変形例）
図７を参照しつつ、本実施形態の変形例が説明される。図７は、本考案の実施形態の変形例に係る自立式スタンドの使用例を示す斜視図である。
【００４４】
図７に示すように、他端側クリップ４２は、扇子６とは異なるテーブルＦを着脱可能に保持している。テーブルＦは、被保持体とは異なる板状の固定部材の一例である。すなわち、本変形例において、基台５は、扇子とは異なるテーブルＦを着脱可能に保持する他端側クリップ４２を有する。
【００４５】
本実施形態によれば、棒状の連結部材２と、扇子６を着脱可能に保持し且つ連結部材２の一端部２１に連結される一端側クリップ４１と、連結部材２の他端部２２に連結され且つ連結部材２と一端側クリップ４１とを自立可能に支持する基台５と、を備える。連結部材２の一端部２１と一端側クリップ４１とは、一端側ボールジョイント４１ａを介して連結され、一端側クリップ４１は、一端側ボールジョイント４１ａを中心に三次元方向に回転可能である。これにより、自立式スタンド１の操作者は、一端側クリップ４１に保持される扇子６を、一端側ボールジョイント４１ａを中心に三次元方向に回転し得る。従って、自立式スタンド１の操作者は、扇子６をより所望の位置に調整することができる。
【００４６】
また、本実施形態において、連結部材２の他端部２２と基台５とは、他端側ボールジョイント４２ａを介して連結され、連結部材２は、他端側ボールジョイント４２ａを中心に三次元方向に回転可能に構成されている。これにより、連結部材２の他端部２２と基台５とがヒンジ軸を介して連結されている場合と比較して、連結部材２に連結されている一端側クリップ４１の位置の調整可能な範囲が広がる。従って、扇子６をより所望の位置に調整しやすくなる。
【００４７】
また、本実施形態において、基台５は、複数の板材５１，５２，５３を組み立てて構成されている。また、他端側クリップ４２は、複数の板材５１，５２，５３の少なくとも１つを保持している。基台５は、他端側クリップ４２と連結部材２と一端側クリップ４１とを自立可能に支持している。すなわち、基台５は、複数の板材５１，５２，５３に分解可能である。また、基台５と他端側クリップ４２とも分解可能である。他端側クリップ４２と連結部材２と一端側クリップ４１とは一体的に連結されている。従って、自立式スタンド１を持ち運ぶとき、複数の部品に分解して自立式スタンド１の使用時よりもコンパクトな状態にでき、自立式スタンド１の持ち運びをより容易することができる。
【００４８】
また、本実施形態において、連結部材２は、長手方向に対して交差する方向に塑性変形可能な部材で構成されている。これにより、連結部材２に連結されている一端側クリップ４１の位置の調整可能な範囲がより広がる。従って、更に広い範囲で扇子６をより所望の位置に調整しやすくなる。
【００４９】
また、本実施形態において、基台５には、基台５側の重量を増加させて自立式スタンド１の転倒を防止するように携帯端末機の一側部を挿入可能な凹部５４が設けられている。これにより、自立式スタンド１の重心を基台５側に近付けることができる。従って、自立式スタンド１をより安定させて使用できる。
【００５０】
なお、本考案は前記実施形態に限定されるものではなく、その他種々の態様で実施できる。例えば、前記実施形態では、一端側クリップ４１は、扇子６を着脱可能に保持し、他端側クリップ４２は、基台５を着脱可能に保持するとしたが、本考案はこれに限定されない。基台５と他端側ボールジョイント４２ａとの間に、基台５を着脱可能に保持する他端側クリップ４２を備え、他端側クリップ４２は、扇子６を着脱自在に保持可能であり、一端側クリップ４１は、基台５を着脱自在に保持可能であってもよい。これにより、一端側クリップ４１は、扇子６及び基台５の一方を保持可能であり且つ他端側クリップ４２は、扇子６及び基台５の他方を保持可能である。すなわち、一端側クリップ４１が基台５を保持し且つ他端側クリップ４２が扇子６を保持するように一端側クリップ４１と他端側クリップ４２とを反転させても、自立式スタンド１を使用することができる。つまり、自立式スタンド１の操作者は、一端側クリップ４１及び他端側クリップ４２の違いを意識せずに使用できる。従って、自立式スタンド１の使い勝手がより向上する。
【００５１】
また、基台５は、扇子とは異なるテーブルＦを着脱可能に保持する他端側クリップ４２を有する。これにより、例えば、テーブルＦの縁部などに自立式スタンド１を取り付けることができる。従って、自立式スタンド１の使用可能な範囲がより広がる。
【００５２】
また、他端側クリップ４２は、扇子６を着脱自在に保持可能であり、一端側クリップ４１は、テーブルＦを着脱自在に保持可能であってもよい。これにより、自立式スタンド１のより広い使用可能な範囲において、一端側クリップ４１は、扇子６及び基台５の一方を保持可能であり且つ他端側クリップ４２は、扇子６及び基台５の他方を保持可能である。すなわち、一端側クリップ４１が基台５を保持し且つ他端側クリップ４２が扇子６を保持するように一端側クリップ４１と他端側クリップ４２とを反転させても、自立式スタンド１を使用することができる。つまり、自立式スタンド１の操作者は、一端側クリップ４１及び他端側クリップ４２の違いを意識せずに使用できる。従って、自立式スタンド１の使い勝手がより向上する。
【００５３】
なお、前記実施形態又は変形例を適宜組み合わせることにより、それぞれの有する効果を奏するようにすることができる。また、実施形態と実施例との組み合わせが可能であると共に、異なる実施形態又は実施例の中の特徴同士の組み合わせも可能である。
【産業上の利用可能性】
【００５４】
本考案の前記態様に係る自立式スタンドは、例えば、持ち運び可能な飛沫飛散ガードに適用可能である。
【符号の説明】
【００５５】
１    自立式スタンド
２    連結部材
２１    一端部
２２    他端部
３１    一端側コネクタ
３２    他端側コネクタ
４１    一端側クリップ
４２    他端側クリップ
４２ａ  他端側ボールジョイント
５    基台
５１    板材
５１ａ  溝部
５１ｂ  溝部
５２    板材
５２ａ  溝部
５３    板材
５３ｂ  溝部
５４    凹部
６    扇子
Ｆ    テーブル
【図１】
0003232606.tif 000003
【図２】
0003232606.tif 000004
【図３】
0003232606.tif 000005
【図４】
0003232606.tif 000006
【図５】
0003232606.tif 000007
【図６】
0003232606.tif 000008
【図７】
0003232606.tif 000009